【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
音響振動部材と、
音声信号に基づいて駆動され、該音声信号に対応した変位が得られる変位出力部を有するアクチュエータと、
上記アクチュエータの変位出力部を上記音響振動部材の面上の所定点に接続する変位出力伝達部材とを備え、
上記変位出力伝達部材を介して上記アクチュエータの変位出力を上記音響振動部材の面上の上記所定点に伝達し、上記アクチュエータの変位出力に対応して上記音響振動部材を上記所定点から面方向に加振する
ことを特徴とするスピーカ装置。
【請求項２】
上記変位出力伝達部材は、
上記アクチュエータの変位出力部に接続されるコ字状部材と、
上記コ字状部材の内部に上記音響振動部材の端部を挿入した状態で、上記コ字状部材および上記音響振動部材を貫通し、該コ字状部材および該音響振動部材を接続する棒状部材とを有する
ことを特徴とする請求項１に記載のスピーカ装置。
【請求項３】
上記変位出力伝達部材は、
上記アクチュエータの変位出力部および上記音響振動部材を貫通し、該変位出力部および該音響振動部材を接続する棒状部材を有する
ことを特徴とする請求項１に記載のスピーカ装置。
【請求項４】
上記アクチュエータを、上記面方向に常に付勢する付勢構造をさらに備える
ことを特徴とする請求項１に記載のスピーカ装置。
【請求項５】
上記アクチュエータは、上記変位出力部として、一端側に第１の変位出力部を有すると共に、他端側に第２の変位出力部を有し、
上記変位出力伝達部材として、上記アクチュエータの上記第１の変位出力部を上記音響振動部材の面上の第１の点に接続する第１の変位出力伝達部材と、上記アクチュエータの上記第２の変位出力部を上記音響振動部材の面上の第２の点に接続する第２の変位出力伝達部材とを備える
ことを特徴とする請求項１に記載のスピーカ装置。
【請求項６】
上記アクチュエータを複数個備え、
上記変位出力伝達部材を、上記複数個のアクチュエータに対応して、複数個備え、
上記複数個の変位出力伝達部材は、上記複数個のアクチュエータの変位出力を、上記音響振動部材の面上の互いに異なる点に伝達する
ことを特徴とする請求項１に記載のスピーカ装置。
【請求項７】
アクチュエータにより、音声信号に対応した変位を、音響振動部材の面上の所定点に接続される変位出力伝達部材を介して伝達し、上記音響振動部材を上記所定点から面方向に加振する
ことを特徴とするスピーカ加振方法。
【手続補正２】
【補正対象書類名】明細書
【補正対象項目名】発明の名称
【補正方法】変更
【補正の内容】
【発明の名称】スピーカ装置およびスピーカ加振方法
【手続補正３】
【補正対象書類名】明細書
【補正対象項目名】０００１
【補正方法】変更
【補正の内容】
【０００１】
この発明は、スピーカ装置およびスピーカ加振方法に関する。詳しくは、この発明は、アクチュエータの変位出力を、変位出力伝達部材を介して音響振動部材の面上の所定点に伝達し、アクチュエータの変位出力に対応して音響振動部材を上述の所定点から面方向に加振することにより、広がり感のある音像を得ることができ、また、音声信号に忠実な音声出力を得ることができ、さらに、音響振動部材の形状選択の自由度が増すようにしたスピーカ装置およびスピーカ加振方法に係るものである。
【手続補正４】
【補正対象書類名】明細書
【補正対象項目名】０００７
【補正方法】変更
【補正の内容】
【０００７】
この場合、振動板３０４はその加振点で大きく励振されることから、聴取者にとってみると加振点からの音波が他の位置に比べて非常に大きな音として聴こえる。その結果、音像がその加振点に定位し、広がり感のある音像を得ることができなかった。
【手続補正５】
【補正対象書類名】明細書
【補正対象項目名】０００９
【補正方法】変更
【補正の内容】
【０００９】
この発明の概念は、
音響振動部材と、
音声信号に基づいて駆動され、該音声信号に対応した変位が得られる変位出力部を有するアクチュエータと、
上記アクチュエータの変位出力部を上記音響振動部材の面上の所定点に接続する変位出力伝達部材とを備え、
上記変位出力伝達部材を介して上記アクチュエータの変位出力を上記音響振動部材の面上の上記所定点に伝達し、上記アクチュエータの変位出力に対応して上記音響振動部材を上記所定点から面方向に加振する
ことを特徴とするスピーカ装置にある。
【手続補正６】
【補正対象書類名】明細書
【補正対象項目名】００１０
【補正方法】変更
【補正の内容】
【００１０】
この発明のスピーカ装置は、音響振動部材と、アクチュエータと、変位出力伝達部材とを備えている。アクチュエータは音声信号に基づいて駆動される。このアクチュエータの変位出力は、変位出力伝達部材を介して、音響振動部材の面上の所定点に伝達される。そして、音響振動部材は、アクチュエータの変位出力に対応して、面上の所定点から面方向に加振される。ここで、音響振動部材の面方向とは面に平行な方向を意味している。アクチュエータとしては、例えば、磁歪アクチュエータ、動電型アクチュエータ、圧電型アクチュエータ等が使用される。
【手続補正７】
【補正対象書類名】明細書
【補正対象項目名】００１１
【補正方法】変更
【補正の内容】
【００１１】
音響振動板などの音響振動部材が面方向に加振されることで、この音響振動板を、音声信号に基づいた弾性波が面方向に伝播していく。そして、この弾性波が音響振動板を伝播する際に縦波、横波、縦波・・・のモード変換を繰り返し、縦波と横波との混在波となり、この横波によって音響振動板の面内方向（面に垂直な方向）の振動が励振される。これにより、音響振動板の面から音波が外部に放射され、音声出力が得られる。
【手続補正８】
【補正対象書類名】明細書
【補正対象項目名】００１５
【補正方法】変更
【補正の内容】
【００１５】
また、例えば、変位出力伝達部材は、アクチュエータの変位出力部および音響振動板を貫通し、変位出力部および音響振動板を接続する棒状部材を有するものとされる。この場合、アクチュエータを音響振動板の一方の面側に配置でき、球形状、箱形状等で端部がない形状の音響振動部材であっても適用可能となる。
【手続補正９】
【補正対象書類名】明細書
【補正対象項目名】００１９
【補正方法】変更
【補正の内容】
【００１９】
この発明によれば、アクチュエータの変位出力を、変位出力伝達部材を介して音響振動部材の面上の所定点に伝達し、アクチュエータの変位出力に対応して音響振動部材を上述の所定点から面方向に加振するものであり、広がり感のある音像を得ることができ、また、音声信号に忠実な音声出力を得ることができ、さらに、音響振動部材の形状選択の自由度を増すことができる。
【手続補正１０】
【補正対象書類名】明細書
【補正対象項目名】００２１
【補正方法】変更
【補正の内容】
【００２１】
このスピーカ装置１００Ａは、ベース筐体１０１と、パイプ１０２と、アクチュエータとしての磁歪アクチュエータ１０３と、変位出力伝達部材１３４と、発音体としての動電型アクチュエータを用いたスピーカユニット１０４と、を有している。パイプ１０２は、音響振動板としての筒型振動板を構成している。磁歪アクチュエータ１０３の駆動ロッド１０３ａは、この磁歪アクチュエータ１０３を駆動する音声信号に対応した変位出力が得る変位出力部を構成している。 
【手続補正１１】
【補正対象書類名】明細書
【補正対象項目名】００３８
【補正方法】変更
【補正の内容】
【００３８】
図７は、磁歪アクチュエータ１０３の駆動ロッド１０３ａとパイプ１０２との、変位出力伝達部材１３４による接続構造を示している。変位出力伝達部材１３４は、コ字状部材１３４ａと、棒状部材としてのビス１３４ｂとを有している。コ字状部材１３４ａは、アクチュエータ１０３の駆動ロッド１０３ａに接続されている。この場合、コ字状部材１３４ａの閉塞端側が、駆動ロッド１０３ａの先端に、接着、あるいは螺合等の方法で接続される。螺合の場合には、例えば、コ字状部材１３４ａの閉塞端側に雌ねじが切られたねじ穴が設けられていると共に、駆動ロッド１０３ａの先端には、ねじ穴の雌ねじに対応した雄ねじが切られている。 
【手続補正１２】
【補正対象書類名】明細書
【補正対象項目名】００４９
【補正方法】変更
【補正の内容】
【００４９】
スピーカユニット１０４への低域成分ＳＡＬの供給経路に遅延回路１２７を挿入することで、パイプ１０２から高域の音波が放射される時点より、スピーカユニット１０４から低域の音波が放射される時点が遅くなる。そのため、音像は高域に引っぱられるという人間の聴覚上の特徴から、聴取者は高域の音波が放射されるパイプ１０２の部分に音像を感じ易くなる。
【手続補正１３】
【補正対象書類名】明細書
【補正対象項目名】０１１５
【補正方法】変更
【補正の内容】
【０１１５】
また、図１８に示すスピーカ装置１００Ｄによれば、磁歪アクチュエータ１０３Ｃは互いに線対称的に変位する駆動ロッド１０３a1，１０３a2を有するものであり、当該駆動ロッド１０３a1，１０３a2に得られる変位出力が変位出力伝達部材１７３-1，１７３-2を介して音響振動板１０２Ｄの加振点Ｐ１，Ｐ２に伝達されるものであり、１つの磁歪アクチュエータによる音響振動板１０２Ｄに対する加振点が２点となるので、音像の広がり感をさらに高めることができる。